(57)【要約】【課題】  認証のための機器を必要とせずに特定の情報を表示可能な情報配信システム及び表示装置を提供すること。【解決手段】  本発明における情報配信システムは、表示装置と、受信端末と、サーバを備えた情報配信システムであって、表示装置は、識別情報を格納する手段と、識別情報を出力する手段と、配信内容情報を入力する手段と、配信内容情報を表示させる手段を備え、受信端末は、識別情報を入力する手段と、識別情報を送信する手段と、配信内容情報を受信する手段と、配信内容情報を出力する手段を備え、サーバは、配信内容情報を格納する手段と、識別情報を受信する手段と、識別情報に基づいて前記表示装置を認証する手段と、認証が成功した場合に配信内容情報を送信する手段を備えた情報配信システムである。このような構成により、認証のための機器を必要とせずに特定の情報を表示することが可能となる。【選択図】図１
2006011974.tif 000002
【特許請求の範囲】
【請求項１】
表示装置と、当該表示装置と接続された受信端末と、前記受信端末と通信網を介して接続されたサーバを備えた情報配信システムであって、
前記表示装置は、当該表示装置固有の識別情報を格納する記憶手段と前記記憶手段に格納された前記識別情報を前記受信端末に出力する出力手段と、前記受信端末から配信内容情報を入力する入力手段と、前記入力手段により入力した前記配信内容情報を表示手段に表示させる制御手段を備え、
前記受信端末は、前記表示装置より出力された前記識別情報を入力する入力手段と、前記サーバに対して前記識別情報を送信する送信手段と、前記サーバから配信内容情報を受信するための受信手段と、前記表示装置に前記受信手段により受信した前記配信内容情報を出力するための出力手段を備え、
前記サーバは、前記配信内容情報を格納する記憶手段と、前記受信端末から前記識別情報を受信する受信手段と、この受信手段により受信した前記識別情報に基づいて前記表示装置を認証する認証手段と、前記認証手段による認証が成功した場合に前記受信端末に前記記憶手段に格納された配信内容情報を送信する送信手段を備えた情報配信システム。
【請求項２】
表示装置と、当該表示装置と接続された受信端末と、前記受信端末と通信網を介して接続されたサーバを備えた情報配信システムであって、
前記表示装置は、当該表示装置固有の識別情報を格納する記憶手段と前記記憶手段に格納された前記識別情報を前記受信端末に出力する出力手段と、前記受信端末から配信内容情報及び配信許可情報を入力する入力手段と、前記入力手段により入力した前記配信許可情報と前記記憶手段に格納された前記識別情報に基づいて表示の許可を判定し、判定の結果表示が許可された場合に、前記入力手段により入力した前記配信内容情報を表示手段に表示させる制御手段を備え、
前記受信端末は、前記表示装置より出力された前記識別情報を入力する入力手段と、前記サーバに対して前記識別情報を送信する送信手段と、前記サーバから配信内容情報及び配信許可情報を受信するための受信手段と、前記表示装置に前記受信手段により受信した配信内容情報及び配信許可情報を出力するための出力手段を備え、
前記サーバは、配信内容情報及び配信許可情報を格納する記憶手段と、前記受信端末から前記識別情報を受信する受信手段と、この受信手段により受信した前記識別情報に基づいて前記表示装置を認証する認証手段と、前記認証手段による認証が成功した場合に前記受信端末に前記記憶手段に格納された配信内容情報及び配信許可情報を送信する送信手段を備えた情報配信システム。
【請求項３】
表示装置と、当該表示装置と接続された受信端末と、前記受信端末と通信網を介して接続されたサーバを備えた情報配信システムであって、
前記表示装置は、当該表示装置固有の識別情報を格納する記憶手段と前記記憶手段に格納された前記識別情報を前記受信端末に出力する出力手段と、前記受信端末から配信内容情報を入力する入力手段と、前記入力手段によりに入力した前記配信内容情報を表示する制御手段を備え、
前記受信端末は、前記表示装置より出力された前記識別情報を入力する入力手段と、前記サーバに対して前記識別情報を送信する送信手段と、前記サーバから配信内容情報及び配信許可情報を受信するための受信手段と、前記受信手段により受信した前記配信許可情報と前記入力手段により入力した前記識別情報に基づいて表示の許可を判定し、判定の結果表示が許可された場合に、前記表示装置に前記受信手段により受信した配信内容情報を出力するための出力手段を備え、
前記サーバは、配信内容情報及び配信許可情報を格納する記憶手段と、前記受信端末から前記識別情報を受信する受信手段と、この受信手段により受信した前記識別情報に基づいて前記表示装置を認証する認証手段と、前記認証手段による認証が成功した場合に前記受信端末に前記記憶手段に格納された配信内容情報及び配信許可情報を送信する送信手段を備えた情報配信システム。
【請求項４】
表示装置と、当該表示装置と接続された受信端末と、前記受信端末と通信網を介して接続されたサーバを備えた情報配信システムであって、
前記表示装置は、当該表示装置固有の識別情報を格納する記憶手段と、前記受信端末から配信内容情報及び配信許可情報を入力する入力手段と、前記記憶手段に格納した前記識別情報と前記入力手段により入力した前記配信許可情報に基づいて前記入力手段により入力した前記配信内容情報の表示の許可を判定し、判定の結果表示が許可された場合に、前記入力手段により入力した前記配信内容情報を表示手段に表示させる制御手段を備え、
前記受信端末は、前記サーバから前記配信内容情報及び前記配信許可情報を受信するための受信手段と、前記表示装置に前記受信手段により受信した前記配信内容情報及び配信許可情報を出力するための出力手段を備え、
前記サーバは、前記配信内容情報及び前記配信許可情報を格納する記憶手段と、前記受信端末に前記記憶手段に格納された前記配信内容情報及び前記配信許可情報を送信する送信手段を備えた情報配信システム。
【請求項５】
受信端末と接続し、サーバから配信された配信内容情報を表示する表示装置であって、
当該表示装置固有の識別情報を格納する記憶手段と、
前記記憶手段に格納された前記識別情報を前記受信端末に出力する出力手段と、
前記受信端末により前記サーバに送信された前記識別情報に基づいて前記サーバによる認証が成功した場合に、前記受信端末が前記サーバから受信し、当該表示装置に対して出力される配信内容情報を入力する入力手段と、
前記入力手段により入力した配信内容情報を表示する制御手段を備えた表示装置。
【請求項６】
受信端末と接続し、サーバから配信された配信内容情報を表示する表示装置であって、
当該表示装置固有の識別情報を格納する記憶手段と、
前記記憶手段に格納された前記識別情報を前記受信端末に出力する出力手段と、
前記受信端末により前記サーバに送信された前記識別情報に基づいて前記サーバによる認証が成功した場合に、前記受信端末が前記サーバから受信し、当該表示装置に対して出力される配信内容情報及び配信許可情報を入力する入力手段と、
前記入力手段により入力した前記配信許可情報と前記記憶手段に格納された前記識別情報に基づいて表示の許可を判定し、判定の結果表示が許可された場合に前記入力手段により入力した配信内容情報を表示する制御手段を備えた表示装置。
【請求項７】
受信端末と接続し、サーバから配信された配信内容情報を表示する表示装置であって、
当該表示装置固有の識別情報を格納する記憶手段と、
前記受信端末が前記サーバから受信し、当該表示装置に対して出力される配信内容情報及び配信許可情報を入力する入力手段と、
前記入力手段により入力した前記配信許可情報と前記記憶手段に格納された前記識別情報に基づいて表示の許可を判定し、判定の結果表示が許可された場合に前記入力手段により入力した配信内容情報を表示する制御手段を備えた表示装置。
【請求項８】
前記記憶手段は、内容を部分的に書き換えることが可能であり、更に、接続した前記受信端末及び／または当該表示装置で動作する制御プログラムを格納し、
前記制御プログラムは、前記受信端末から任意に読み出し可能であることを特徴とした請求項５、６または７記載の表示装置。
【請求項９】
前記制御プログラムは、少なくとも１通り以上の表示方法により当該表示装置における画面表示を前記制御手段に行わせるプログラムであり、
前記表示方法は、切り替え、追加及び変更が可能であることを特徴とした請求項８記載の表示装置。
【発明の詳細な説明】
【技術分野】
【０００１】
本発明は、表示装置及び配信情報表示システムに関するものであり、より詳細には、他の電子機器と接続し、入力した情報を表示する情報配信システム及び表示装置に関する。
【背景技術】
【０００２】
ＵＳＢ（Universal Serial Bus）等の汎用のデータ転送インタフェースは、普及が進むと共に、データ転送の速度も高速化されるようになってきた。ＰＣ（Personal Computer）を代表とする汎用のデータ転送インタフェースを備えた電子機器は、データ転送の高速化に伴い、幅広い分野の周辺機器が登場するようになった。
【０００３】
一方、外部表示装置も液晶パネルの普及と共に高性能、低価格化が進んできている。特に、パチンコや携帯電話機等に用いられる小型の液晶パネルはかなりの低価格化が進んできている。また、小型液晶パネルの解像度であれば先ほど述べたＵＳＢ等の汎用データ転送インタフェースでも十分な転送能力を持つ。
【０００４】
そこで、ＵＳＢ接続を利用した表示装置及び表示方法が提案されるようになった（例えば、特許文献１など）。特許文献１では、ＵＳＢで接続された表示部に表示データを送る場合に、表示の等時性を確保する手法が提案されている。
【特許文献１】特開２００３−１３１８６５号公報
【発明の開示】
【発明が解決しようとする課題】
【０００５】
しかしながら、近年のほとんどのＰＣ（Personal Computer）は、専用のグラフィックカードやオンボードのグラフィックチップを備えており、汎用性が高いとはいえ、転送速度等で画面表示において処理能力の劣るＵＳＢで接続した表示装置を利用する必然性がない。
【０００６】
しかし、メインの表示装置としてではなく、第２の表示装置、あるいは特定の情報の表示専用の表示装置として利用するのであれば、処理能力の劣るＵＳＢ接続であってもあまり影響は無く、逆にコストダウンを図れるというメリットがある。
【０００７】
第２の表示装置を接続可能なグラフィックカードも存在するが、グラフィックカードの回路構成が複雑になってしまうという問題点がある。また、専用のドライバを別途インストールしなくてはいけないなどの問題点もある。更に、このようにして表示装置を複数接続する方法は、汎用性は高いが、専用の情報を表示するためには、別途認証手段などを用意しなくてはならない。
【０００８】
本発明は、このような状況に鑑みてなされたものであり、認証のための機器を必要とせずに特定の情報を表示可能な情報配信システム及び表示装置を提供することを目的とする。
【課題を解決するための手段】
【０００９】
本発明における情報配信システムは、表示装置と、当該表示装置と接続された受信端末と、前記受信端末と通信網を介して接続されたサーバを備えた情報配信システムであって、前記表示装置は、当該表示装置固有の識別情報を格納する記憶手段と前記記憶手段に格納された前記識別情報を前記受信端末に出力する出力手段と、前記受信端末から配信内容情報を入力する入力手段と、前記入力手段により入力した前記配信内容情報を表示手段に表示させる制御手段を備え、前記受信端末は、前記表示装置より出力された前記識別情報を入力する入力手段と、前記サーバに対して前記識別情報を送信する送信手段と、前記サーバから配信内容情報を受信するための受信手段と、前記表示装置に前記受信手段により受信した前記配信内容情報を出力するための出力手段を備え、前記サーバは、前記配信内容情報を格納する記憶手段と、前記受信端末から前記識別情報を受信する受信手段と、この受信手段により受信した前記識別情報に基づいて前記表示装置を認証する認証手段と、前記認証手段による認証が成功した場合に前記受信端末に前記記憶手段に格納された配信内容情報を送信する送信手段を備えた情報配信システムである。このような構成により、認証のための機器を必要とせずに特定の情報を表示することが可能となる。
【００１０】
本発明における情報配信システムは、表示装置と、当該表示装置と接続された受信端末と、前記受信端末と通信網を介して接続されたサーバを備えた情報配信システムであって、前記表示装置は、当該表示装置固有の識別情報を格納する記憶手段と前記記憶手段に格納された前記識別情報を前記受信端末に出力する出力手段と、前記受信端末から配信内容情報及び配信許可情報を入力する入力手段と、前記入力手段により入力した前記配信許可情報と前記記憶手段に格納された前記識別情報に基づいて表示の許可を判定し、判定の結果表示が許可された場合に、前記入力手段により入力した前記配信内容情報を表示手段に表示させる制御手段を備え、前記受信端末は、前記表示装置より出力された前記識別情報を入力する入力手段と、前記サーバに対して前記識別情報を送信する送信手段と、前記サーバから配信内容情報及び配信許可情報を受信するための受信手段と、前記表示装置に前記受信手段により受信した配信内容情報及び配信許可情報を出力するための出力手段を備え、前記サーバは、配信内容情報及び配信許可情報を格納する記憶手段と、前記受信端末から前記識別情報を受信する受信手段と、この受信手段により受信した前記識別情報に基づいて前記表示装置を認証する認証手段と、前記認証手段による認証が成功した場合に前記受信端末に前記記憶手段に格納された配信内容情報及び配信許可情報を送信する送信手段を備えた情報配信システムである。このような構成により、安全性を更に高めることが可能となる。
【００１１】
本発明における情報配信システムは、表示装置と、当該表示装置と接続された受信端末と、前記受信端末と通信網を介して接続されたサーバを備えた情報配信システムであって、前記表示装置は、当該表示装置固有の識別情報を格納する記憶手段と前記記憶手段に格納された前記識別情報を前記受信端末に出力する出力手段と、前記受信端末から配信内容情報を入力する入力手段と、前記入力手段によりに入力した前記配信内容情報を表示する制御手段を備え、前記受信端末は、前記表示装置より出力された前記識別情報を入力する入力手段と、前記サーバに対して前記識別情報を送信する送信手段と、前記サーバから配信内容情報及び配信許可情報を受信するための受信手段と、前記受信手段により受信した前記配信許可情報と前記入力手段により入力した前記識別情報に基づいて表示の許可を判定し、判定の結果表示が許可された場合に、前記表示装置に前記受信手段により受信した配信内容情報を出力するための出力手段を備え、前記サーバは、配信内容情報及び配信許可情報を格納する記憶手段と、前記受信端末から前記識別情報を受信する受信手段と、この受信手段により受信した前記識別情報に基づいて前記表示装置を認証する認証手段と、前記認証手段による認証が成功した場合に前記受信端末に前記記憶手段に格納された配信内容情報及び配信許可情報を送信する送信手段を備えた情報配信システムである。このような構成により、安全性を更に高めることが可能となる。
【００１２】
本発明における情報配信システムは、表示装置と、当該表示装置と接続された受信端末と、前記受信端末と通信網を介して接続されたサーバを備えた情報配信システムであって、前記表示装置は、当該表示装置固有の識別情報を格納する記憶手段と、前記受信端末から配信内容情報及び配信許可情報を入力する入力手段と、前記記憶手段に格納した前記識別情報と前記入力手段により入力した前記配信許可情報に基づいて前記入力手段により入力した前記配信内容情報の表示の許可を判定し、判定の結果表示が許可された場合に、前記入力手段により入力した前記配信内容情報を表示手段に表示させる制御手段を備え、前記受信端末は、前記サーバから前記配信内容情報及び前記配信許可情報を受信するための受信手段と、前記表示装置に前記受信手段により受信した前記配信内容情報及び配信許可情報を出力するための出力手段を備え、前記サーバは、前記配信内容情報及び前記配信許可情報を格納する記憶手段と、前記受信端末に前記記憶手段に格納された前記配信内容情報及び前記配信許可情報を送信する送信手段を備えた情報配信システムである。このようにすることにより、サーバ構成を簡略化することが可能となる。
【００１３】
本発明における表示装置は、受信端末と接続し、サーバから配信された配信内容情報を表示する表示装置であって、当該表示装置固有の識別情報を格納する記憶手段と、前記記憶手段に格納された前記識別情報を前記受信端末に出力する出力手段と、前記受信端末により前記サーバに送信された前記識別情報に基づいて前記サーバによる認証が成功した場合に、前記受信端末が前記サーバから受信し、当該表示装置に対して出力される配信内容情報及び配信許可情報を入力する入力手段と、前記入力手段により入力した前記配信許可情報と前記記憶手段に格納された前記識別情報に基づいて表示の許可を判定し、判定の結果表示が許可された場合に前記入力手段により入力した配信内容情報を表示する制御手段を備えた表示装置である。このような構成により、認証のための機器を必要とせずに特定の情報を表示することが可能となる。
【００１４】
本発明における表示装置は、受信端末と接続し、サーバから配信された配信内容情報を表示する表示装置であって、当該表示装置固有の識別情報を格納する記憶手段と、前記記憶手段に格納された識別情報を前記受信端末に出力する出力手段と、前記受信端末により前記サーバに送信された前記識別情報に基づいて前記サーバによる認証が成功した場合に、前記受信端末が前記サーバから受信し、当該表示装置に対して出力される配信内容情報及び配信許可情報を入力する入力手段と、前記入力手段により入力した前記配信許可情報と前記記憶手段に格納された前記識別情報に基づいて表示の許可を判定し、判定の結果表示が許可された場合に前記入力手段により入力した配信内容情報を表示する制御手段を備えた表示装置である。このような構成により、安全性を更に高めることが可能となる。
【００１５】
本発明における表示装置は、受信端末と接続し、サーバから配信された配信内容情報を表示する表示装置であって、当該表示装置固有の識別情報を格納する記憶手段と、前記受信端末が前記サーバから受信し、当該表示装置に対して出力される配信内容情報及び配信許可情報を入力する入力手段と、前記入力手段により入力した前記配信許可情報と前記記憶手段に格納された前記識別情報に基づいて表示の許可を判定し、判定の結果表示が許可された場合に前記入力手段により入力した配信内容情報を表示する制御手段を備えた表示装置である。このようにすることにより、構成を簡略化することが可能となる。
【００１６】
前記記憶手段は、内容を部分的に書き換えることが可能であり、更に、接続した前記受信端末及び／または当該表示装置で動作する制御プログラムを格納し、前記制御プログラムは、前記受信端末から任意に読み出し可能であることを特徴としてもよい。このようにすることにより、インストールの際に、別途ドライバやアプリケーション等のプログラムをインターネットやＣＤから入手する手間を省くことが可能となり、更に、インストール後の制御プログラム修正やデータ更新を効率良く行うことが可能となる。
【００１７】
前記制御プログラムは、少なくとも１通り以上の表示方法により当該表示装置における画面表示を前記制御手段に行わせるプログラムであり、前記表示方法は、切り替え、追加及び変更が可能であることを特徴としてもよい。こうすることにより、必要に応じて表示方法の選択を行うことが可能となる。
【発明の効果】
【００１８】
本発明によれば、認証のための機器を必要とせずに特定の情報を表示可能な情報配信システム及び表示装置を提供することが可能となる。
【発明を実施するための最良の形態】
【００１９】
発明の実施の形態１．
図１は、本発明の実施の形態１における情報配信システムの構成を示す図である。表示装置１は受信端末２と接続されており、受信端末２はサーバ３とデータの送受信を行うことができる。表示装置１は液晶パネル等を備えた専用のディスプレイである。受信端末２は、ＵＳＢ等の汎用のデータ転送インタフェースを備え、インターネット等に接続し情報を受信する機能を備える端末であり、普通に市販されているＰＣをそのまま利用できる。あるいは、ＰＤＡ（Personal Digital Assistant）等、同様の機能を備えた他の電子機器でもよい。受信端末２から表示装置１への表示内容の制御は専用のソフトウェアにより行われる。
【００２０】
ここでの表示装置１と受信端末２との接続方法はＵＳＢとするが、ＩＥＥＥ（Institute of Electrical and Electronic Engineers）１３９４や、ＲＳ（Recommended Standard）２３２Ｃ等でもよい。受信端末２は、表示装置１の他に別の表示装置とグラフィックカード等で接続されていてもよい。また、受信端末２とサーバ３はインターネット回線を介してデータの送受信を行うとする。
【００２１】
図２は、情報配信システムの構成を示すブロック図である。表示装置１は、液晶パネル１０、入力部１１、出力部１２、記憶部１３、制御部１４を備えている。
【００２２】
液晶パネル１０は、画面の表示を行うパネルであり、汎用の液晶パネルをそのまま利用することが可能である。大きさや解像度についても特に限定されず、小型で低解像度のものでもよい。入力部１１は、接続した受信端末２から表示する情報を入力する手段である。出力部１２は、接続した受信端末２へ後述するＩＤ等を出力する手段である。
【００２３】
記憶部１３は、画面表示情報や当該表示装置１個別の識別情報であるＩＤ等を格納するためのメモリであり、ＲＡＭ（Random Access Memory）やフラッシュメモリ等により構成される。画面表示情報を格納する記憶部と、識別情報を格納する記憶部は同じメモリであってもよいし、別々に用意されてもよい。また、更に、受信端末２から表示装置１を制御するためのドライバまたはアプリケーションを格納しておいてもよい。こうすることにより、別途ドライバまたはアプリケーションをインストールせずに表示装置１を接続するだけで受信端末２から表示装置１を制御することが可能となる。また、画面表示のためのバッファ領域等を格納するために利用してもよい。
【００２４】
制御部１４は、表示装置１の全体的な動作の制御を行う手段であり、液晶パネルの表示内容の制御、個別ＩＤによる認証、データの入出力等を行う。制御部１４は、専用のプロセッサ等により実現される。
【００２５】
受信端末２は、制御部２０、入力部２１、出力部２２、送信部２３、受信部２４を備える。制御部２０は、受信端末２の全体的な制御を行うものであり、ＣＰＵ（Central Processing Unit）等により構成される。入力部２１は、情報を入力する手段である。出力部２２は、接続した表示装置１へ表示内容情報等を出力する手段である。入力部２１及び出力部２２は、市販のＰＣが備えるＵＳＢポートをそのまま利用することが可能である。
【００２６】
送信部２３は、サーバ３へ表示装置１から入力したＩＤ等を送信する手段であり、受信部２４は、サーバ３から受信した表示内容情報等を受信する手段である。送信部２３及び受信部２４は、市販のＰＣが備えるモデムやＬＡＮ（Local Area Network）カード等の通信手段をそのまま利用することが可能である。
【００２７】
サーバ３は、制御部３０、受信部３１、送信部３２、記憶部３３を備える。制御部３０は、認証等のサーバ３の全体的な制御を行うものであり、受信端末２と同様にＣＰＵ等により構成される。受信部３１は、受信端末２から受信したＩＤ等を受信する手段であり、送信部３２は、受信端末２へ表示内容情報等を送信する手段である。受信部３１及び送信部３２は、受信端末２同様に、モデムやＬＡＮカード等の通信手段をそのまま利用することが可能である。記憶部３３は、受信端末２へ送信するための配信内容情報等を格納し、ＲＡＭ（Random Access Memory）やＨＤＤ（Hard Disk Drive）等により構成される。
【００２８】
続いて、図３に示すシーケンス図を用いて、本発明における情報配信システムの処理の流れについて説明する。
【００２９】
まず、表示装置１と受信端末２を接続する（Ｓ１０１）。この時の接続手段はＵＳＢの場合は、ＵＳＢケーブルが利用される。ＵＳＢの場合は、仕様により受信端末の電源がオンのまま接続することが可能であるが、接続手段によっては、電源をオンする前に接続しておく必要がある。
【００３０】
受信端末２は、表示装置１の接続を認識する（Ｓ１０２）。ここでもＵＳＢの場合は仕様によりＯＳ（Operating System）が自動的に接続した機器の認識を行う。受信端末２が表示装置１を認識すると、受信端末２は、表示装置１を制御するための制御プログラムを起動する（Ｓ１０３）。ここでの制御プログラムは、ドライバやアプリケーション等である。
【００３１】
制御プログラムは、事前にＣＤ（Compact Disc）やインターネットから入手して予めインストールされているか、表示装置１の記憶部１３に格納されている。記憶部１３に格納されている場合は、受信端末２が表示装置１を認識後、表示装置１の記憶部１３を例えばＤドライブ等の外部ドライブとして認識され、記憶部１３に格納された制御プログラムをダブルクリック等の方法で起動する。あるいは、記憶部１３にインストーラを備え、インストールを行う方法もある。ダブルクリックによる起動方法では、インストールを行わないので、受信端末の変更に柔軟に対応が可能である。また、インストールを行う方法では、２回目以降の接続時には、インストール済みの制御プログラムを起動するだけで、再度インストールを行わなくてもよい。また、制御プログラムは、新しい制御プログラムあるいはアップデートプログラムをサーバ３からダウンロードして更新を行うことにより、修正や更新を任意に行うことができる。
【００３２】
受信端末２は、制御プログラムを起動すると、そのプログラムにより表示装置１の制御が可能となる。次に受信端末２は、表示装置１に対して、表示装置１固有の識別情報であるＩＤの要求を行う（Ｓ１０４）。表示装置１は、記憶部１３にＩＤを格納しており、表示装置１は、受信端末２からの要求を受け、出力部１２より受信端末２へＩＤの出力を行う（Ｓ１０５）。
【００３３】
受信端末２は、入力部２１より表示装置１より出力されたＩＤを入力すると、そのＩＤをサーバ３に対して送信部２３により送信する（Ｓ１０６）。サーバ３は、受信部３１よりＩＤを受信すると、そのＩＤの表示装置１に対してサーバ３が備える表示情報内容の表示の許可を与えるかどうかの認証を行う（Ｓ１０７）。
【００３４】
サーバ３による認証の方法は、次のような方法で行う。まず、予めサーバ３の記憶部３３に表示を許可する表示装置のＩＤを登録しておき、その登録されたＩＤと受信したＩＤの一致を判定し、一致した場合、受信したＩＤの表示装置は表示の許可された表示装置であるとする。あるいは、有料の情報を配信したい場合は、金額の支払いが完了しているかどうかの情報をＩＤに関連付けて記録しておき、受信したＩＤが登録したＩＤと一致し、かつ支払いが完了しているという情報が確認できた場合に、受信したＩＤの表示装置は表示の許可された表示装置であるとする、としてもよい。この場合、ＩＤと支払い完了の情報は随時変更が可能であるものとする。
【００３５】
サーバ３による認証が成功、つまり表示装置への表示が許可された場合（Ｓ１０８）、サーバ３は、受信端末２に対して、送信部３２より、記憶部３３に格納された配信情報を送信する（Ｓ１０９）。受信端末２は、受信部２４よりサーバ３から送信された配信情報を受信すると、表示装置１に対して出力部２２より受信した配信情報の出力を行う（Ｓ１１０）。この時、受信端末２側でソフトウェアにより、配信情報を、ビットマップデータ等の画像情報への変換を行ってから送信するようにしてもよい。このようにすることにより、表示装置１の回路構成を簡単にすることが可能となる。また、受信端末２が表示装置１の記憶部１３を外部ドライブとして認識している場合、外部ドライブに配信情報を書き込むことにより配信情報の出力は完了する。
【００３６】
表示装置１が入力部１１より、受信端末２から出力された配信情報を入力すると、制御部１４は、入力した配信情報に基づいて表示用の画像情報を生成し、液晶パネル１０を制御することにより配信情報の表示を行う（Ｓ１１１）。この時、入力した配信情報を制御部１４により表示用の画像情報へ変換する代わりに、受信端末２側で変換された画像情報をそのまま表示するようにしてもよい。このようにして、表示装置固有の識別情報を利用して認証を行い、認証が行われた場合にのみ特定の情報を表示することにより、別途認証手段を利用することなく、表示可能な状況でのみ情報の表示を行うことが可能となる。
【００３７】
次に、表示装置１が表示する内容について説明する。このような方法で認証を行うことを利用して、表示装置１には配信内容情報として幅広く情報を表示することが可能である。例えば、登録されたユーザー限定に株価・為替・先物など金融市場や、時事ニュース・スポーツ速報等の情報を表示するようにしてもよい。このとき、登録ユーザーのみに表示装置を配布または販売することにより、表示装置１による認証がそのまま登録ユーザーの認証となる。また、情報を有料にして、受信端末２側でネットワークに接続し、料金の支払いを認証時に確認し、支払われていた場合にのみ情報を表示するようにしてもよい。更に、登録されたユーザーのニーズに合わせた広告を配信するようにしてもよい。
【００３８】
この時の表示方法は、表示内容に合わせて切り替えることが可能である。例えば、通常は配信内容情報を画面全体に表示しておき、ニュース速報が入った場合や株価が変わったときなどの急遽伝えたい情報が入った場合は手前に別ウィンドウにより表示を行ったり、決められた時間に別ウィンドウに広告を表示したりすることができる。通常は、表示装置１側か受信端末２側で表示方法の切り替えを行う。また、表示方法は、プログラムにより制御されており、後述する機能拡張の方法により追加や変更を行うことが可能である。
【００３９】
また、表示装置１に表示を行わせるプログラムについては、書き換えによる機能拡張を行うことが可能である。機能拡張は、プログラムの更新により行われる。プログラム更新の方法は、サーバ３から更新するプログラムのダウンロードを行い、受信端末２により表示装置１の記憶部１３に格納された制御プログラムの書き換えを行う方法や、ＣＤやＤＶＤ等に格納された更新プログラムを用いて、受信端末２により表示装置１の記憶部１３に格納された制御プログラムの書き換えを行う方法がある。この時、修正箇所や修正データのみを書き換えることができる。また、表示装置１の記憶部１３には書き換え可能領域と書き換え不可能領域を設けることにより誤って重要なプログラムやデータを書き換えてしまうという危険を回避し、安全性を高めることが可能である。
【００４０】
発明の実施の形態２．
上述の例に加えて、更に、表示装置１または受信端末２により配信許可の確認を行い、安全性を高めた例である。各種構成は発明の実施の形態１と同様であるが、サーバ３の記憶部３３は、配信内容情報に加え、配信許可情報である許可ＩＤも格納する。図４は、表示装置１により配信許可の確認を行う場合の処理の流れを示すシーケンス図である。サーバ３による認証が行われるまでの処理の流れ（Ｓ２０１〜２０７）は、発明の実施の形態１におけるサーバ３による認証が行われるまでの処理の流れ（Ｓ１０１〜Ｓ１０７）と同様であり、ここでは説明を省略する。
【００４１】
サーバ３による認証が成功、つまり表示装置１への表示が許可された場合（Ｓ２０８）、サーバ３は、受信端末２に対して、送信部３２より、記憶部３３に格納された配信情報と共に配信許可情報である許可ＩＤを送信する（Ｓ２０９）。受信端末２は、受信部２４よりサーバ３から送信された配信情報及び許可ＩＤを受信すると、表示装置１に対して出力部２２より受信した配信情報及び許可ＩＤの出力を行う（Ｓ２１０）。この時、受信端末２側でソフトウェアにより、配信情報をビットマップデータ等の画像情報への変換を行ってから送信するようにしてもよい。
【００４２】
表示装置１が入力部１１より、受信端末２から出力された配信情報及び許可ＩＤを入力すると、制御部１４により、許可ＩＤが当該表示装置に向けて送られたものかどうかの判定を行う（Ｓ２１１）。判定の方法は、記憶部１３に格納された表示装置１固有の識別情報であるＩＤと、入力部１１より入力した許可ＩＤを予め定められた式に入力し、その結果に基づいて行われる。例えばそれぞれのＩＤが数値である場合、サーバ３が送信する許可ＩＤを表示装置１固有の識別情報であるＩＤに１足した値にしておき、表示装置１で判定を行うときに、差が１であれば許可ＩＤが当該表示装置に向けて送られたものと判定するようにしてもよい。この例は説明のため簡単な式にしたが、見破られないためにはより複雑な式が利用される。
【００４３】
判定の結果、許可ＩＤが当該表示装置１に向けて送られたものであると判定された場合（Ｓ２１２）、制御部１４は、入力した配信情報に基づいて表示用の画像情報を生成し、液晶パネル１０を制御することにより配信情報の表示を行う（Ｓ２１３）。この時、入力した配信情報を制御部１４により表示用の画像情報へ変換する代わりに、受信端末２側で変換された画像情報をそのまま表示するようにしてもよい。このようにして、表示装置１側で再度表示許可の確認を取ることにより、サーバ３で認証後、表示装置１を抜いて別の表示装置を接続するなどの不正手段を排除することができ、安全性を増すことが可能となる。
【００４４】
図５は、表示装置１により配信許可の確認を行う場合の処理の流れを示すシーケンス図である。サーバ３による認証が行われるまでの処理の流れ（Ｓ３０１〜３０７）は、発明の実施の形態１におけるサーバ３による認証が行われるまでの処理の流れ（Ｓ１０１〜Ｓ１０７）と同様であり、ここでは説明を省略する。
【００４５】
サーバ３による認証が成功、つまり表示装置への表示が許可された場合（Ｓ３０８）、サーバ３は、受信端末２に対して、送信部３２より、記憶部３３に格納された配信情報と共に配信許可情報である許可ＩＤを送信する（Ｓ３０９）。受信端末２は、受信部２４よりサーバ３から送信された配信情報及び許可ＩＤを受信すると、制御部２０は、許可ＩＤが当該表示装置に向けて送られたものかどうかの判定を行う（Ｓ３１０）。判定の方法は、入力部２１より入力した表示装置１固有の識別情報であるＩＤと、受信部２４より受信した許可ＩＤを予め定められた式に入力し、その結果に基づいて行われる。例えば、それぞれのＩＤが数値である場合、サーバ３が送信する許可ＩＤを表示装置１固有の識別情報であるＩＤに１足した値にしておき、表示装置１で判定を行うときに、差が１であれば許可ＩＤが当該表示装置に向けて送られたものと判定するようにしてもよい。この例は説明のため簡単な式にしたが、見破られないためにはより複雑な式が利用される。
【００４６】
判定の結果、許可ＩＤが当該表示装置に向けて送られたものであると判定された場合（Ｓ３１１）、制御部２０は、受信した配信情報を表示装置１に対して出力部２２より出力する（Ｓ３１２）。表示装置１は、入力部１１より入力した配信情報に基づいて表示用の画像情報を生成し、液晶パネル１０を制御することにより配信情報の表示を行う（Ｓ３１３）。この時、入力した配信情報を制御部１４により表示用の画像情報へ変換する代わりに、受信端末２側で変換された画像情報をそのまま表示するようにしてもよい。このようにして、受信端末２側で再度表示許可の確認を取ることにより、サーバ３で認証後、表示装置１を抜いて別の表示装置を接続するなどの不正手段を排除することができ、安全性を増すことが可能となる。
【００４７】
発明の実施の形態３．
サーバで認証を行わず、表示装置のみで認証を行うようにした例である。図６は、サーバ３で認証を行わず、表示装置１により配信許可の確認を行う場合の処理の流れを示すシーケンス図である。受信端末２によるドライバインストールまでの処理の流れ（Ｓ４０１〜３０３）は、発明の実施の形態１における受信端末２によるドライバインストールまでの処理の流れ（Ｓ１０１〜Ｓ１０３）と同様であり、ここでは説明を省略する。
【００４８】
サーバ３は、受信端末２に対して、送信部３２より、記憶部３３に格納された配信情報と共に配信許可情報である許可ＩＤを送信する（Ｓ４０４）。受信端末２は、受信部２４よりサーバ３から送信された配信情報及び許可ＩＤを受信すると、表示装置１に対して出力部２２より受信した配信情報及び許可ＩＤの出力を行う（Ｓ４０５）。この時、受信端末２側でソフトウェアにより、配信情報をビットマップデータ等の画像情報への変換を行ってから送信するようにしてもよい。
【００４９】
表示装置１が入力部１１より、受信端末２から出力された配信情報及び許可ＩＤを入力すると、制御部１４により、許可ＩＤが当該表示装置に向けて送られたものかどうかの判定を行う（Ｓ４０６）。判定の方法は、記憶部１３に格納された表示装置１固有の識別情報であるＩＤと、入力部１１より入力した許可ＩＤを予め定められた式に入力し、その結果に基づいて行われる。例えばそれぞれのＩＤが数値である場合、サーバ３が送信する許可ＩＤを表示装置１固有の識別情報であるＩＤに１足した値にしておき、表示装置１で判定を行うときに、差が１であれば許可ＩＤが当該表示装置に向けて送られたものと判定するようにしてもよい。この例は説明のため簡単な式にしたが、見破られないためにはより複雑な式が利用される。
【００５０】
判定の結果、許可ＩＤが当該表示装置１に向けて送られたものであると判定された場合（Ｓ４０７）、制御部１４は、入力した配信情報に基づいて表示用の画像情報を生成し、液晶パネル１０を制御することにより配信情報の表示を行う（Ｓ４０８）。この時、入力した配信情報を制御部１４により表示用の画像情報へ変換する代わりに、受信端末２側で変換された画像情報をそのまま表示するようにしてもよい。このようにして、表示装置１側で表示許可の確認を取ることにより、サーバ３に認証の負荷をかけずに、しかも許可情報を利用することにより指定した表示装置のみに情報の配信及び表示が可能となる。
【００５１】
発明の実施の形態４．
サーバ３の処理を、情報の配信を行うコンテンツサーバと識別情報の認証を行う認証サーバに分割して行うようにした例である。図７は、本発明の実施の形態４における情報配信システムの構成を示す図である。本情報配信システムは、表示装置１、受信端末２、サーバ３より構成され、サーバ３は、コンテンツサーバ３００と認証サーバ３０１に分かれている。表示装置１は受信端末２と接続されており、受信端末２はコンテンツサーバ３００、認証サーバ３０１のそれぞれとデータの送受信を行うことができる。表示装置１及び受信端末２の構成については発明の実施の形態１と同様である。
【００５２】
コンテンツサーバ３００及び認証サーバ３０１は、それぞれ図示しない受信部、送信部、制御部、記憶部を備えておりそれぞれの機能については発明の実施の形態２と同様である。ただし、コンテンツサーバ３００の記憶部には配信内容情報を、認証サーバ３０１の記憶部には配信許可情報である許可ＩＤを、それぞれ格納する。
【００５３】
図８は、受信端末２とサーバ３間の情報のやりとりにおける、受信端末２、コンテンツサーバ３００、認証サーバ３０１の処理の流れを示すシーケンス図である。表示装置１と受信端末２間の情報の送受信の流れについては、上述の例と同様であり、ここでは説明を省略する。
【００５４】
まず、受信端末２がコンテンツサーバ３００に対して、情報配信のリクエストを要求するリクエスト信号を送信する（Ｓ５０１）。コンテンツサーバ３００は、受信端末２からリクエスト信号を受信すると、認証サーバ３０１に対して、認証の確認を要求する確認要求信号を送信する（Ｓ５０２）。認証サーバ３０１は、コンテンツサーバ３００から確認要求信号を受信すると、コンテンツサーバ３００に対して、記憶部に格納された配信許可情報である許可ＩＤを送信する（Ｓ５０３）。コンテンツサーバ３００は、認証サーバ３０１から許可ＩＤを受信すると、受信端末２に対して記憶部に格納された配信内容情報及び認証サーバ３０１から受信した許可ＩＤを受信端末２に対して送信する（Ｓ５０４）。
【００５５】
この処理を図９に示すシーケンス図のような処理の流れで行うこともできる。まず、受信端末２がコンテンツサーバ３００に対して、情報配信のリクエストを要求するリクエスト信号を送信する（Ｓ６０１）。コンテンツサーバ３００は、受信端末２からリクエスト信号を受信すると、認証サーバ３０１に対して、認証の確認を要求する確認要求信号を送信する（Ｓ６０２）。その後、コンテンツサーバ３００は、受信端末２に対して記憶部に格納された配信内容情報を送信する（Ｓ６０３）。認証サーバ３０１は、コンテンツサーバ３００から確認要求信号を受信すると、受信端末２に対して、記憶部に格納された配信許可情報である許可ＩＤを送信する（Ｓ６０４）。
【００５６】
更に、この処理を図１０に示すシーケンス図のような処理の流れで行うこともできる。まず、受信端末２がコンテンツサーバ３００に対して、情報配信のリクエストを要求するリクエスト信号を送信する（Ｓ７０１）。コンテンツサーバ３００は、受信端末２からリクエスト信号を受信すると、認証サーバ３０１に対して、認証の確認を要求する確認要求信号及び記憶部に格納された配信内容情報を送信する（Ｓ７０２）。認証サーバ３０１は、コンテンツサーバ３００から確認要求信号及び配信内容情報を受信すると、受信端末２に対して、記憶部に格納された配信許可情報である許可ＩＤ及びコンテンツサーバ３００から受信した配信内容情報を送信する（Ｓ７０３）。
【００５７】
このようにして、サーバ３をコンテンツサーバ３００と認証サーバ３０１に分割することにより、それぞれのサーバ運営を別々に行うことが可能となる。こうすることにより、コンテンツサーバは従来のプロバイダ等が持っているコンテンツサーバを利用することができ、配信内容情報の充実が期待できる。また、認証サーバは情報の内容に関わらずにサーバの運営ができるため効率化を図ることが可能となる。
【００５８】
発明の実施の形態５．
発明の実施の形態１及び２では、１台の表示装置を接続していたが、これを図１１に示すように複数台接続するようにしてもよい。例えば、ＵＳＢによる接続の場合はＵＳＢの仕様により１２７台まで表示装置を接続することが可能となる。この時は、表示したい情報に合わせて表示装置を受信端末側から指定することが可能であるものとする。あるいは、表示情報によってどの表示装置で表示を行うかが予め対応してあってもよい。
【００５９】
その他の発明の実施の形態．
上述の例では、表示機能のみに限定して説明を行ったが、この表示装置にスピーカ機能を備えて音声や音楽を出力してもよい。また、タッチパネル等による入力機能を備えてもよい。
【図面の簡単な説明】
【００６０】
【図１】本発明における情報配信システムの構成を示す図である。
【図２】本発明における情報配信システムの構成を示すブロック図である。
【図３】本発明における情報配信システムの処理の流れを示すシーケンス図である。
【図４】本発明における情報配信システムの処理の流れを示すシーケンス図である。
【図５】本発明における情報配信システムの処理の流れを示すシーケンス図である。
【図６】本発明における情報配信システムの処理の流れを示すシーケンス図である。
【図７】本発明における情報配信システムの構成を示す図である。
【図８】本発明における情報配信システムの処理の流れを示すシーケンス図である。
【図９】本発明における情報配信システムの処理の流れを示すシーケンス図である。
【図１０】本発明における情報配信システムの処理の流れを示すシーケンス図である。
【図１１】本発明における情報配信システムの構成を示す図である。
【符号の説明】
【００６１】
１    表示装置
２    受信端末
３    サーバ
１０    液晶パネル
１１    入力部
１２    出力部
１３    記憶部
１４    制御部
２０    制御部
２１    入力部
２２    出力部
２３    送信部
２４    受信部
３０    制御部
３１    受信部
３２    送信部
３３    記憶部
３００    コンテンツサーバ
３０１    認証サーバ
【図１】
2006011974.tif 000003
【図２】
2006011974.tif 000004
【図３】
2006011974.tif 000005
【図４】
2006011974.tif 000006
【図５】
2006011974.tif 000007
【図６】
2006011974.tif 000008
【図７】
2006011974.tif 000009
【図８】
2006011974.tif 000010
【図９】
2006011974.tif 000011
【図１０】
2006011974.tif 000012
【図１１】
2006011974.tif 000013